(57)【要約】【課題】キートップを押し下げて筐体の薄型化を図りつつも、誤動作や誤入力の発生を防止することができる電子機器を提供する。【解決手段】電子機器１０は、ヒンジ機構１２によるディスプレイ筐体１４と本体筐体１６との回動動作に連動して、各キートップ２２を第１位置から第２位置に移動可能なキー位置設定機構２６と、各キートップ２２が少なくとも第１位置にある状態ではキートップ２２からのキー入力信号を有効とし、キー位置設定機構２６によって各キートップ２２が第２位置に移動した状態では各キートップ２２からのキー入力信号を無効とする制御部９０とを備える。【選択図】図６
2019032756.tif 000002
【特許請求の範囲】
【請求項１】
弾性部材の付勢力によって上昇した第１位置と、前記弾性部材の付勢力に抗して下降した第２位置との間で上下動する複数のキートップを有するキーボード装置と、
前記キーボード装置が搭載された本体筐体と、
ディスプレイが設けられたディスプレイ筐体と、
前記本体筐体に対して前記ディスプレイ筐体を回動可能に連結するヒンジ機構と、
前記ヒンジ機構による前記ディスプレイ筐体と前記本体筐体との回動動作に連動して、前記複数のキートップを前記第１位置から前記第２位置に移動可能なキー位置設定機構と、
前記複数のキートップが少なくとも前記第１位置にある状態では前記キートップからのキー入力信号を有効とし、前記キー位置設定機構によって前記複数のキートップが前記第２位置に移動した状態では前記キートップからのキー入力信号を無効とする制御部と、
を備えることを特徴とする電子機器。
【請求項２】
請求項１に記載の電子機器において、
前記キー位置設定機構は、前記ディスプレイ筐体を前記本体筐体に対して回動させた際の前記ヒンジ機構の回転動作に連動して動作するリンク機構部と、
前記リンク機構部と前記キートップとの間に介在し、前記リンク機構部の動作と連動して前記複数のキートップを上下動させる位置変更機構部と、
前記リンク機構部又は前記位置変更機構部に設けられ、当該キー位置設定機構が前記複数のキートップを前記第１位置から前記第２位置へと移動する際の前記リンク機構部又は前記位置変更機構部の状態を検出し、検出結果を前記制御部に対して出力するセンサと、を有し、
前記制御部は、前記検出結果に基づいて前記キー入力信号の有効と無効とを切り替えることを特徴とする電子機器。
【請求項３】
請求項２に記載の電子機器において、
前記位置変更機構部は、前記リンク機構部の動作に連動してスライドするスライド部材と、
前記スライド部材によって押圧されて回転することで、前記弾性部材の付勢力に抗して前記複数のキートップを前記第２位置に押し下げて保持する押下部材と、を有し、
前記センサは、前記スライド部材のスライド位置を検出することを特徴とする電子機器。
【請求項４】
請求項２又は３に記載の電子機器において、
前記センサは、非接触式の光センサであることを特徴とする電子機器。
【請求項５】
請求項１〜４のいずれか１項に記載の電子機器において、
前記ヒンジ機構は、前記本体筐体と前記ディスプレイ筐体との間を、前記本体筐体と前記ディスプレイ筐体の表面同士が対面する０度位置から、少なくとも前記本体筐体と前記ディスプレイ筐体との前記表面同士が直交する９０度位置まで回動可能に連結するものであり、
少なくとも前記９０度位置では前記複数のキートップは前記第１位置にあり、少なくとも前記０度位置では前記複数のキートップは前記キー位置設定機構によって前記第２位置に保持されており、
前記制御部は、前記０度位置と前記９０度位置の間にある設定角度位置において前記キー入力信号の有効と無効とを切り替えることを特徴とする電子機器。
【請求項６】
請求項５に記載の電子機器において、
前記ディスプレイ筐体を前記０度位置から前記９０度位置に向かって開き動作させた場合の前記設定角度位置を第１角度位置と称し、前記ディスプレイ筐体を前記９０度位置から前記０度位置に向かって閉じ動作させた場合の前記設定角度位置を第２角度位置と称すると、前記第１角度位置よりも前記第２角度位置が小さい角度に設定されていることを特徴とする電子機器。
【請求項７】
請求項１〜４のいずれか１項に記載の電子機器において、
前記ヒンジ機構は、前記本体筐体と前記ディスプレイ筐体との間を、前記本体筐体と前記ディスプレイ筐体の表面同士が対面する０度位置から、前記本体筐体と前記ディスプレイ筐体の表面が同一方向を向いて互いに平行する１８０度位置を経て、前記本体筐体と前記ディスプレイ筐体の背面同士が対面する３６０度位置まで回動可能に連結するものであり、
少なくとも前記９０度位置から前記１８０度位置までの範囲では前記複数のキートップは前記第１位置にあり、少なくとも前記０度位置及び前記３６０度位置では前記複数のキートップは前記キー位置設定機構によって前記第２位置に保持されており、
前記制御部は、前記０度位置と前記１８０度位置の間にある第１設定角度位置と、前記１８０度位置と前記３６０度位置の間にある第２設定角度位置とにおいて、前記キー入力信号の有効と無効とを切り替えることを特徴とする電子機器。
【請求項８】
請求項７に記載の電子機器において、
前記ディスプレイ筐体を前記０度位置から前記１８０度位置に向かって開き動作させた場合の前記第１設定角度位置を第１角度位置と称し、前記ディスプレイ筐体を前記１８０度位置から前記０度位置に向かって閉じ動作させた場合の前記第１設定角度位置を第２角度位置と称すると、前記第１角度位置よりも前記第２角度位置が小さい角度に設定されていることを特徴とする電子機器。
【発明の詳細な説明】
【技術分野】
【０００１】
本発明は、キーボード装置を備える電子機器に関する。
【背景技術】
【０００２】
例えばディスプレイ筐体を本体筐体に対して０度位置から１８０度位置程度まで回動可能に連結した構成や、１８０度位置を越えて３６０度位置まで反転可能に連結した構成のノートブック型パーソナルコンピュータ（ノート型ＰＣ）等の電子機器は、近年、その筐体の薄型化が急速に進んでいる。
【０００３】
通常この種の携帯用情報機器の本体筐体には、上下動可能に弾性支持された複数のキートップを備えるキーボード装置が搭載されている。キーボード装置は、高い操作性を確保するためにある程度のキーストロークを確保しておく必要がある。従って、ディスプレイ筐体を閉じた際にディスプレイが本体筐体上面のキーボード装置に干渉することを避けるためには、キーボード装置自体にある程度の厚みを担保しておく必要があり、筐体の薄型化に対する障壁となっていた。
【０００４】
そこで、本出願人は特許文献１において、ディスプレイ筐体を閉じた際に各キートップを押下可能な構成を提案している。この構成によれば、ディスプレイとキートップの干渉が防止され、電子機器の筐体全体としての薄型化が図られる。
【先行技術文献】
【特許文献】
【０００５】
【特許文献１】特許第５９８０３７４号公報
【発明の概要】
【発明が解決しようとする課題】
【０００６】
ところで、上記特許文献１のように、ディスプレイ筐体を閉じる際にキートップを押し下げる構成の場合、このキートップの押し下げ動作に伴ってキー入力信号が出力され、誤動作や誤入力を引き起こす可能性がある。
【０００７】
本発明は、上記従来技術の課題を考慮してなされたものであり、キートップを押し下げて筐体の薄型化を図りつつも、誤動作や誤入力の発生を防止することができる電子機器を提供することを目的とする。
【課題を解決するための手段】
【０００８】
本発明に係る第１態様に係る電子機器は、弾性部材の付勢力によって上昇した第１位置と、前記弾性部材の付勢力に抗して下降した第２位置との間で上下動する複数のキートップを有するキーボード装置と、前記キーボード装置が搭載された本体筐体と、ディスプレイが設けられたディスプレイ筐体と、前記本体筐体に対して前記ディスプレイ筐体を回動可能に連結するヒンジ機構と、前記ヒンジ機構による前記ディスプレイ筐体と前記本体筐体との回動動作に連動して、前記複数のキートップを前記第１位置から前記第２位置に移動可能なキー位置設定機構と、前記複数のキートップが少なくとも前記第１位置にある状態では前記キートップからのキー入力信号を有効とし、前記キー位置設定機構によって前記複数のキートップが前記第２位置に移動した状態では前記キートップからのキー入力信号を無効とする制御部と、を備える。
【０００９】
前記キー位置設定機構は、前記ディスプレイ筐体を前記本体筐体に対して回動させた際の前記ヒンジ機構の回転動作に連動して動作するリンク機構部と、前記リンク機構部と前記キートップとの間に介在し、前記リンク機構部の動作と連動して前記複数のキートップを上下動させる位置変更機構部と、前記リンク機構部又は前記位置変更機構部に設けられ、当該キー位置設定機構が前記複数のキートップを前記第１位置から前記第２位置へと移動する際の前記リンク機構部又は前記位置変更機構部の状態を検出し、検出結果を前記制御部に対して出力するセンサと、を有し、前記制御部は、前記検出結果に基づいて前記キー入力信号の有効と無効とを切り替える構成であってもよい。
【００１０】
前記位置変更機構部は、前記リンク機構部の動作に連動してスライドするスライド部材と、前記スライド部材によって押圧されて回転することで、前記弾性部材の付勢力に抗して前記複数のキートップを前記第２位置に押し下げて保持する押下部材と、を有し、前記センサは、前記スライド部材のスライド位置を検出する構成であってもよい。
【００１１】
前記センサは、非接触式の光センサで構成されてもよい。
【００１２】
前記ヒンジ機構は、前記本体筐体と前記ディスプレイ筐体との間を、前記本体筐体と前記ディスプレイ筐体の表面同士が対面する０度位置から、少なくとも前記本体筐体と前記ディスプレイ筐体との前記表面同士が直交する９０度位置まで回動可能に連結するものであり、少なくとも前記９０度位置では前記複数のキートップは前記第１位置にあり、少なくとも前記０度位置では前記複数のキートップは前記キー位置設定機構によって前記第２位置に保持されており、前記制御部は、前記０度位置と前記９０度位置の間にある設定角度位置において前記キー入力信号の有効と無効とを切り替える構成であってもよい。
【００１３】
前記ディスプレイ筐体を前記０度位置から前記９０度位置に向かって開き動作させた場合の前記設定角度位置を第１角度位置と称し、前記ディスプレイ筐体を前記９０度位置から前記０度位置に向かって閉じ動作させた場合の前記設定角度位置を第２角度位置と称すると、前記第１角度位置よりも前記第２角度位置が小さい角度に設定された構成であってもよい。
【００１４】
前記ヒンジ機構は、前記本体筐体と前記ディスプレイ筐体との間を、前記本体筐体と前記ディスプレイ筐体の表面同士が対面する０度位置から、前記本体筐体と前記ディスプレイ筐体の表面が同一方向を向いて互いに平行する１８０度位置を経て、前記本体筐体と前記ディスプレイ筐体の背面同士が対面する３６０度位置まで回動可能に連結するものであり、少なくとも前記９０度位置から前記１８０度位置までの範囲では前記複数のキートップは前記第１位置にあり、少なくとも前記０度位置及び前記３６０度位置では前記複数のキートップは前記キー位置設定機構によって前記第２位置に保持されており、前記制御部は、前記０度位置と前記１８０度位置の間にある第１設定角度位置と、前記１８０度位置と前記３６０度位置の間にある第２設定角度位置とにおいて、前記キー入力信号の有効と無効とを切り替える構成であってもよい。
【００１５】
前記ディスプレイ筐体を前記０度位置から前記１８０度位置に向かって開き動作させた場合の前記第１設定角度位置を第１角度位置と称し、前記ディスプレイ筐体を前記１８０度位置から前記０度位置に向かって閉じ動作させた場合の前記第１設定角度位置を第２角度位置と称すると、前記第１角度位置よりも前記第２角度位置が小さい角度に設定された構成であってもよい。
【発明の効果】
【００１６】
本発明の上記態様によれば、キートップを押し下げて筐体の薄型化を図りつつも、誤動作や誤入力の発生を防止することができる。
【図面の簡単な説明】
【００１７】
【図１】図１は、本発明の一実施形態に係る電子機器の斜視図である。
【図２】図２は、図１に示す電子機器の側面図である。
【図３】図３は、図２に示す状態からディスプレイ筐体を開き方向に回動させて３６０度位置としたタブレット型ＰＣの使用形態での側面図である。
【図４】図４は、キーボード装置のキースイッチ及びその周辺部を拡大した斜視図である。
【図５Ａ】図５Ａは、キートップが最も上方にある使用位置での側面図である。
【図５Ｂ】図５Ｂは、図５Ａに示す状態からキートップがキー位置設定機構によって押し下げられて最も下方となる非使用位置とされた状態を示す側面図である。
【図６】図６は、キー位置設定機構の構成を模式的に示す平面図である。
【図７Ａ】図７Ａは、キートップが使用位置にある状態での前後スライダの一部を拡大した斜視図である。
【図７Ｂ】図７Ｂは、キートップが非使用位置にある状態での前後スライダの一部を拡大した斜視図である。
【図８】図８は、前後スライダの一部を前側から見た正面図である。
【図９】図９は、ヒンジ機構の構成例を模式的に示す平面図である。
【図１０Ａ】図１０Ａは、０度位置での筒状カム部材と左右スライダの筒状連結部を周方向に展開して模式的に示した展開図である。
【図１０Ｂ】図１０Ｂは、７５度位置での筒状カム部材と左右スライダの筒状連結部を周方向に展開して模式的に示した展開図である。
【図１１Ａ】図１１Ａは、０度位置でのヒンジ機構及びリンク機構部を下方から見た斜視図である。
【図１１Ｂ】図１１Ｂは、７５度位置でのヒンジ機構及びリンク機構部を下方から見た斜視図である。
【図１２】図１２は、電子機器の制御系統の構成例を示すブロック図である。
【図１３Ａ】図１３Ａは、ディスプレイ筐体を本体筐体から開き動作させる際の角度位置の変化状態を模式的に示した説明図である。
【図１３Ｂ】図１３Ｂは、ディスプレイ筐体を本体筐体に対して閉じ動作させる際の角度位置の変化状態を模式的に示した説明図である。
【発明を実施するための形態】
【００１８】
以下、本発明に係る電子機器について好適な実施の形態を挙げ、添付の図面を参照しながら詳細に説明する。
【００１９】
１．電子機器の全体構成の説明
図１は、本発明の一実施形態に係る電子機器１０の斜視図である。図１は、ヒンジ機構１２Ｌ，１２Ｒによってディスプレイ筐体１４を本体筐体１６から開いたノート型ＰＣでの使用形態とした状態を示す。図２は、図１に示す電子機器１０の側面図である。図３は、図２に示す状態からディスプレイ筐体１４を開き方向に回動させて３６０度位置としたタブレット型ＰＣの使用形態での側面図である。
【００２０】
本実施形態に係る電子機器１０は、ノート型ＰＣ及びタブレット型ＰＣとして使用可能なコンバーチブル型ＰＣである。電子機器１０は、ディスプレイ筐体１４を本体筐体１６に対して９０度〜１８０度程度の角度位置に回動させた状態ではノート型ＰＣとして好適に使用可能なノートモードとなる（図１及び図２参照）。電子機器１０は、ディスプレイ筐体１４を本体筐体１６に対して３６０度位置まで回動させた状態ではタブレット型ＰＣとして好適に使用可能なタブレットモードとなる（図３参照）。電子機器１０はコンバーチブル型ＰＣ以外、例えば携帯電話、スマートフォン又は電子手帳等であってもよい。
【００２１】
以下、図１及び図２に示すノートモードを基準とし、ディスプレイ１８を視認しながらキーボード装置２０を操作する使用者から見た方向で、手前側を前、奥側を後と呼び、本体筐体１６の厚み方向を上下方向、幅方向を左右方向と呼んで説明する。
【００２２】
本体筐体１６に対するディスプレイ筐体１４の角度位置については、ディスプレイ筐体１４を本体筐体１６に対して完全に閉じた状態とし、互いの表面１４ａ，１６ａ、つまりディスプレイ１８とキーボード装置２０が対面した姿勢を０度位置（図２中に一方の２点鎖線で示すディスプレイ筐体１４参照）と呼ぶ。そして、この０度位置を基準として、ディスプレイ筐体１４を開き方向に回動させる方向で角度を刻みながら説明する。例えばディスプレイ筐体１４と本体筐体１６との表面１４ａ，１６ａ同士が直交した姿勢を９０度位置と呼ぶ。表面１４ａ，１６ａが同一方向（上方）を向いて互いに平行した姿勢を１８０度位置（図２中に他方の２点鎖線で示すディスプレイ筐体１４参照）と呼ぶ。ディスプレイ筐体１４と本体筐体１６の裏面１４ｂ，１６ｂ同士が対面した姿勢を３６０度位置（図３参照）と呼ぶ。これら０度位置、１８０度位置及び３６０度位置等の表記については、本体筐体１６、ディスプレイ筐体１４又はヒンジ機構１２Ｌ，１２Ｒの構造により、角度数字の示す正確な角度位置から多少ずれた角度位置となることも当然生じることがある。
【００２３】
図１〜図３に示すように、電子機器１０は、ディスプレイ１８を有するディスプレイ筐体１４と、キーボード装置２０を有する本体筐体１６とを備える。ディスプレイ筐体１４と本体筐体１６は、左右一対のヒンジ機構１２Ｌ，１２Ｒ（以下、まとめて「ヒンジ機構１２」と呼ぶこともある）によって０度位置から３６０度位置まで回動可能に連結されている。
【００２４】
ディスプレイ筐体１４は、ヒンジ機構１２を通過した図示しないケーブルにより本体筐体１６と電気的に接続されている。ディスプレイ１８は、例えばタッチパネル式の液晶ディスプレイによって構成される。
【００２５】
本体筐体１６は扁平箱状に形成され、その後端縁部にヒンジ機構１２が設けられている。本体筐体１６の内部には、図示しない基板、演算装置及びメモリ等の各種電子部品が収納されている。キーボード装置２０は、本体筐体１６の表面１６ａに設けられている。キーボード装置２０の略中央にはポインティングスティック２０ａが設けられている。ポインティングスティック２０ａはディスプレイ１８に表示されるカーソル（マウスポインタ）を操作するためのものであり、マウスの代わりとして操作可能な入力手段である。キーボード装置２０の前側にはタッチパッド１７が設けられている。タッチパッド１７はディスプレイ１８に表示されるカーソル（マウスポインタ）を操作するためのものである。タッチパッド１７の後側には、ポインティングスティック２０ａ又はタッチパッド１７によるカーソル操作と連係して機能する３つの機能ボタンが設けられている。
【００２６】
キーボード装置２０は、前後左右方向に並ぶように配列された複数のキースイッチ２１と、各キースイッチ２１の操作面を構成するキートップ２２の周囲の隙間を埋めるフレーム２４とを備える。本実施形態の場合、キーボード装置２０は、隣接するキートップ２２間がフレーム２４によって区画され、それぞれが独立した構成からなるアイソレーション型の構造である。フレーム２４は、各キースイッチ２１のキートップ２２を挿通させる複数の孔部２４ａ（図５Ａ及び図５Ｂ参照）が形成された枠状の板材である。フレーム２４は、本体筐体１６の表面１６ａと略面一又は多少低位置となるように取り付けられている。
【００２７】
本体筐体１６は、少なくとも０度位置及び３６０度位置において、キートップ２２を通常操作時の使用位置（第１位置）から下方に押し下げた非使用位置（第２位置）に移動させて保持するキー位置設定機構２６を備える（図５Ａ及び図５Ｂ参照）。これにより、電子機器１０は、０度位置や３６０度位置でキートップ２２が本体筐体１６の表面１６ａから突出しない薄型構造となっている。キー位置設定機構２６によるキートップ２２の昇降動作は、ヒンジ機構１２によるディスプレイ筐体１４の回動動作と連動する。
【００２８】
２．キーボード装置の説明
２．１  キーボード装置の構成の説明
キーボード装置２０の具体的な構成例を説明する。
【００２９】
図４は、キーボード装置２０のキースイッチ２１及びその周辺部を拡大した斜視図である。図５Ａは、キートップ２２が最も上方にある使用位置での側面図である。図５Ｂは、図５Ａに示す状態からキートップ２２がキー位置設定機構２６によって押し下げられて最も下方となる非使用位置とされた状態を示す側面図である。
【００３０】
図４、図５Ａ及び図５Ｂに示すように、キーボード装置２０は、キートップ２２をガイド機構２８で上下動可能に支持したキースイッチ２１と、キースイッチ２１を上面側に支持するベースプレート３０とを備える。ベースプレート３０の上面側にはメンブレンシート３２が積層され、ベースプレート３０の下面側には防水シート３４が貼着されている。なお、図５Ａ及び図５Ｂではメンブレンシート３２を省略して図示している。
【００３１】
ベースプレート３０は、薄いアルミニウム板等の金属板に切り起こし成形や打ち抜き成形を施したものであり、キースイッチ２１の取付板となるものである。全てのキースイッチ２１は、１枚のベースプレート３０を共用している。フレーム２４は、ベースプレート３０の上面に設置される。
【００３２】
メンブレンシート３２は、ベースプレート３０の上に積層されている。メンブレンシート３２は、例えば押圧された場合に接点が閉じる三層構造のスイッチシートである。メンブレンシート３２は、固定接点及び可動接点が重なる位置が押圧された場合に、固定接点と可動接点とが密着することで接点を閉じるものである。メンブレンシート３２は各所に貫通孔を有し、この貫通孔を通してガイド機構２８がベースプレート３０の上面に着地する。メンブレンシート３２は、ベースプレート３０の下に積層されてもよい。
【００３３】
キートップ２２は、ベースプレート３０の上方にガイド機構２８を介して配設される。キートップ２２は、信号を入力するための操作部材である。キートップ２２は樹脂等で成形され、平面視で略四角形状を有する。キートップ２２は、操作面となる上面２２ａと、上面２２ａの４辺の縁部から下方に延びた側面２２ｂとを有する。前側の側面２２ｂには左右一対の突出片３９が前方に向かって突出形成されている。後側の側面２２ｂには左右一対の受け片４０が後方に向かって突出形成されている。上面２２ａ及び各側面２２ｂで囲まれたキートップ２２の内側空間は、ガイド機構２８及びラバードーム４１の設置空間となっている（図５Ａ参照）。なお、図５Ｂではラバードーム４１の図示を省略している。
【００３４】
突出片３９は、側面２２ｂから外方に突出した平面視略矩形状の翼状部材である。突出片３９は、フレーム２４の天面に当接することでキートップ２２の上方への抜け止め防止部材として機能する。突出片３９はキートップ２２の上動方向での最高高さ位置を規定する機能も有する。
【００３５】
受け片４０は、側面２２ｂから外方に突出した平面視略矩形状の翼状部材である。受け片４０は、キー位置設定機構２６によるキートップ２２の下方への押し下げ力を受ける部分である。受け片４０は、突出片３９と共に、キートップ２２の上方への抜け止め防止部材としての機能とキートップ２２の上動方向での最高高さ位置を規定する機能も兼ねる。
【００３６】
ラバードーム４１は、キートップ２２が押下された場合にメンブレンシート３２を押圧し、キートップ２２の押下操作が解除された際にキートップ２２を元の位置に復帰させる弾性部材である。ラバードーム４１は、メンブレンシート３２とキートップ２２との間に配設されている。キートップ２２は、ガイド機構２８によって上下動可能にガイドされた状態で、ラバードーム４１によって弾性支持されている。ラバードーム４１は、シリコンゴム等、可撓性を有する弾性材料で形成されている。キートップ２２を上下動可能に弾性支持する弾性部材は、ラバードーム以外、例えばスプリング等で構成されてもよい。
【００３７】
キースイッチ２１では、キートップ２２が押下操作されるとその操作力でラバードーム４１が弾性変形すると共にメンブレンシート３２が押圧され、メンブレンシート３２は接点を閉じる。キートップ２２への押下操作が解除されると、ラバードーム４１の弾性復元力によってキートップ２２が元の位置（使用位置）に戻り、メンブレンシート３２が接点を開く。
【００３８】
ガイド機構２８は、キートップ２２を上下動可能に支持するものであり、ベースプレート３０とキートップ２２との間に折り畳み可能に取り付けられている。本開示のガイド機構２８は、筋交い状に取り付けられた内側枠４２及び外側枠４３を備えたパンタグラフ構造となっている。
【００３９】
２．２  キー位置設定機構の構成の説明
各キースイッチ２１のキートップ２２を非使用位置に保持するキー位置設定機構２６の構成例を説明する。図６は、キー位置設定機構２６の構成を模式的に示す平面図である。キー位置設定機構２６は、回転軸部材５０、押圧片５２及び前後スライダ５４を有する位置変更機構部５５と、位置変更機構部５５を動作させるリンク機構部５６（図１１Ａ及び図１１Ｂ参照）とを備える。
【００４０】
図４〜図６に示すように、回転軸部材５０は、キーボード装置２０の左右方向に並んだ各キートップ２２の後側部に沿って延在しており、キーボード装置２０の前後方向に複数並んでいる。各回転軸部材５０は、例えばＳＵＳ材等で形成された硬質の線材（ワイヤ）であり、例えば直径１ｍｍ程度であって十分な剛性を有する。
【００４１】
回転軸部材５０は、キーボード装置２０のフレーム２４の下面側で該キーボード装置２０の左右方向に亘って延在している。回転軸部材５０の左右端部には、フレーム２４の左右両側部から突出した駆動端部５０ａが設けられている。各駆動端部５０ａは、キーボード装置２０の左右側部にそれぞれ設けられた前後スライダ５４のスリット５４ａに回転可能な状態で係合している。
【００４２】
図４、図５Ａ及び図５Ｂに示すように、回転軸部材５０は、キートップ２２の後側部に沿って左右方向に延在する直線状の基部５０ｂと、基部５０ｂの両端に設けられた駆動端部５０ａとを有する。駆動端部５０ａは、基部５０ｂの端部を９０度屈曲させたアーム部５０ｃの先端から９０度屈曲させて形成されており、基部５０ｂと平行するように左右方向へと突出している。その結果、回転軸部材５０の両端部はクランク形状となっている。
【００４３】
基部５０ｂは、その左右方向の適宜箇所でベースプレート３０又はフレーム２４に設けられた軸受部５８（図４参照）によって回転可能に位置決め支持されている。これにより、左右の前後スライダ５４が前後方向にスライドすると、駆動端部５０ａが前後スライダ５４のスリット５４ａ内で回転しながら該前後スライダ５４と共に前後方向に移動する。その結果、軸受部５８で軸支された基部５０ｂを回転中心としてアーム部５０ｃが前後方向に振り子状に揺動しつつ、基部５０ｂが軸周りに回転する（図５Ａ及び図５Ｂ参照）。
【００４４】
押圧片５２は、回転軸部材５０の基部５０ｂの外周面に外嵌固着された取付筒体５９から屈曲形成されることで、基部５０ｂの外周面からキートップ２２側へと突出している。取付筒体５９は、かしめ固定やスポット溶接によって基部５０ｂに固着される。押圧片５２は、取付筒体５９の外周面から突出した板片である。押圧片５２は、各キートップ２２の受け片４０の上面に当接配置され、受け片４０を下方に向かって押下可能である。
【００４５】
前後スライダ（スライド部材）５４は、本体筐体１６に対して前後方向にスライド可能に設けられた長尺矩形状のプレート状部材である。前後スライダ５４は、キーボード装置２０の左右で一対設けられている。前後スライダ５４は後述するリンク機構部５６からの駆動力を受ける部材であり、リンク機構部５６の動作と連動して前後方向にスライドする。
【００４６】
図７Ａは、キートップ２２が使用位置にある状態での前後スライダ５４の一部を拡大した斜視図である。図７Ｂは、キートップ２２が非使用位置にある状態での前後スライダ５４の一部を拡大した斜視図である。図８は、前後スライダ５４の一部を前側から見た正面図である。
【００４７】
図６〜図７Ｂに示すように、一方（例えば左側）の前後スライダ５４は、突出部５４ｂを有する。突出部５４ｂは、前後スライダ５４の側方に突出した板状部分である。突出部５４ｂは、その先端部の下面に検出片５４ｃが設けられている（図８参照）。検出片５４ｃは、突出部５４ｂの下面から突出し、前後方向に沿って延在している。なお、図７Ａ及び図７Ｂ中の参照符号５４ｄは、前後スライダ５４に前後方向に沿って形成されたガイド孔である。また、参照符号５３は、本体筐体１６の内面から突出し、ガイド孔５４ｄに摺動可能に挿入され、前後スライダ５４のスライドをガイドするガイドピンである。
【００４８】
前後スライダ５４の側部には、センサ６０が設けられている。センサ６０は、検出片５４ｃを下方から跨ぐように配置されたＵ字形状である（図８参照）。センサ６０は、互いに対向するように起立した左右の板片の内面にそれぞれ投光部６０ａ及び受光部６０ｂを設けた非接触式の光センサである。
【００４９】
このような位置変更機構部５５では、キートップ２２が図５Ａに示す使用位置にある状態では、左右の前後スライダ５４は最も前側にスライドした位置にある。この状態では、図７Ａに示すように前後スライダ５４の検出片５４ｃがセンサ６０の投光部６０ａと受光部６０ｂとの間を遮断しない位置にあり、センサ６０はオン信号を出力している。
【００５０】
この状態から前後スライダ５４が後方にスライドすると、これに伴って駆動端部５０ａが後方に移動し、基部５０ｂが軸周りに回転する。これにより、基部５０ｂの外周面から突出した押圧片５２が下方向に揺動してキートップ２２の受け片４０を押し下げ、キートップ２２を強制的に押し下げる。その結果、キートップ２２が図５Ｂに示す非使用位置に保持される。このように回転軸部材５０及び押圧片５２は、前後スライダ５４によって押圧されて回転し、キートップ２２を非使用位置まで押し下げて保持可能な押下部材として機能する。この非使用位置では、キートップ２２の上面２２ａがフレーム２４の上面と面一又は僅かに低い位置となり、キーボード装置２０の上面が凹凸のない平面状に構成される。
【００５１】
この際、前後スライダ５４が所定位置まで後側にスライドすると、投光部６０ａと受光部６０ｂとの間に検出片５４ｃが介在し、センサ６０がオフ信号（無効信号）を出力する。なお、図７Ｂに示すように、センサ６０のオフ信号は、前後スライダ５４が最も後側までスライドするまで維持される。
【００５２】
一方、キートップ２２が図５Ｂに示す非使用位置にある状態では、左右の前後スライダ５４は最も後側にスライドした位置にある。この状態から前後スライダ５４が前方にスライドすると、これに伴って駆動端部５０ａが前方に移動し、基部５０ｂが軸周りで押下動作時とは逆方向に回転する。これにより、押圧片５２が上方向に揺動して受け片４０に対する押圧作用が解除される。その結果、キートップ２２はラバードーム４１の付勢力によって上動し、図５Ａに示す使用位置に復帰する。
【００５３】
この際、前後スライダ５４が所定位置まで前側にスライドすると、投光部６０ａと受光部６０ｂとの間から検出片５４ｃが抜け出し、センサ６０がオン信号（有効信号）を出力する。なお、図７Ａに示すように、センサ６０のオン信号は、前後スライダ５４が最も前側にスライドするまで維持される。
【００５４】
このようなキー位置設定機構２６によるキートップ２２の昇降動作は、リンク機構部５６を介してヒンジ機構１２と連係しており、ディスプレイ筐体１４の回動角度位置に対応する。
【００５５】
３．ディスプレイ筐体の回動動作とキートップの連動構造の説明
ディスプレイ筐体１４の回動動作と、キー位置設定機構２６によるキートップ２２の昇降動作とを連動させるヒンジ機構１２及びリンク機構部５６の構成例を説明する。
【００５６】
３．１  ヒンジ機構の構成の説明
ヒンジ機構１２の構成例を説明する。
【００５７】
図９は、ヒンジ機構１２の構成例を模式的に示す平面図である。図９では、左側のヒンジ機構１２Ｌの構成を代表的に示している。以下、ヒンジ機構１２として左側のヒンジ機構１２Ｌを代表的に説明する。なお、右側のヒンジ機構１２Ｒは左側のヒンジ機構１２Ｌと左右対称構造である以外は同一構造のため、その詳細な説明は省略する。
【００５８】
図９に示すように、ヒンジ機構１２は、左右方向に延在する第１軸６２と、第１軸６２と平行して設置された第２軸６３と、第１軸６２及び第２軸６３を回転可能に軸支して収納する箱状のヒンジ筐体６４とを備える（図２及び図３も参照）。
【００５９】
第１軸６２は、一端部に固定された取付板６２ａが本体筐体１６に固定されることで該本体筐体１６と一体的に回転する。第２軸６３は、一端部に固定された取付板６３ａがディスプレイ筐体１４に固定されることで該ディスプレイ筐体１４と一体的に回転する。第１軸６２及び第２軸６３の他端部はヒンジ筐体６４の内部で回転可能な状態で支持されている。本開示の場合、第１軸６２及び第２軸６３は歯車列６５を介して同期回転する構成となっている。
【００６０】
第１軸６２は、ヒンジ筐体６４の外側となる部分の外周面に、筒状カム部材６６が同軸配置されている。筒状カム部材６６は、第１軸６２の外周面上で該第１軸６２に対して回転可能な状態で外挿されている。筒状カム部材６６は、ヒンジ筐体６４の一側部に固定された支持板６８と一体的に設けられている。支持板６８は、ヒンジ筐体６４と一体的に設けられ、第１軸６２及び第２軸６３が回転可能に挿通する軸孔を有するプレート状部材である。第１軸６２とヒンジ筐体６４との間が相対回転すると、筒状カム部材６６はヒンジ筐体６４と一体となって第１軸６２に対して相対回転する。筒状カム部材６６の一端側（図９中で右側）の端面には、周方向に沿って軸方向位置が変化するカム面７０が設けられている。
【００６１】
第１軸６２は、筒状カム部材６６に近接する部分の外周面に、左右スライダ７２の筒状連結部７４が同軸配置されている。左右スライダ７２は、第１軸６２の外周面上で回転する筒状カム部材６６によって押圧されて左右方向にスライドする。左右スライダ７２は、本体筐体１６の内部で左右方向にスライド可能に支持されている。左右スライダ７２は、コイルばね７７によって筒状連結部７４が筒状カム部材６６に近接する方向に常時付勢されている。左右スライダ７２は、左右方向にスライドすることで前後スライダ５４を前後方向にスライドさせるものであるが、詳細は後述する。
【００６２】
筒状連結部７４は、筒状カム部材６６の一端側（図９中で右側）となる部分に近接配置されている。筒状連結部７４は、第１軸６２の外周面上で該第１軸６２に対して回転不能且つ軸方向に移動可能な状態で外挿されている。筒状連結部７４には、筒状カム部材６６のカム面７０に対向する端面に受圧面７５が設けられている。受圧面７５は、周方向に沿って軸方向位置が変化する面であり、第１軸６２の外周面上で回転するカム面７０と摺接可能である。カム面７０と受圧面７５は、同軸で回転しながら円滑に摺接する必要がある。そこで、本開示では、カム面７０と受圧面７５は、互いに摺接する回転方向に傾斜したねじれ形状を有する構成となっている。
【００６３】
３．２  ヒンジ機構の動作の説明
ヒンジ機構１２の動作を説明する。
【００６４】
図１０Ａ及び図１０Ｂは、筒状カム部材６６と左右スライダ７２の筒状連結部７４を周方向に展開して模式的に示した展開図であり、それぞれ０度位置、７５度位置での筒状カム部材６６と筒状連結部７４の位置関係を示している。
【００６５】
図１０Ａ及び図１０Ｂに示すように、筒状カム部材６６のカム面７０は、周方向に沿って軸方向（左右方向）に螺旋状に変位する山状の凸部を描くように形成された第１作動面７０ａ及び第２作動面７０ｂと、周方向に沿って形成された空振り面７０ｃとを有する。第１作動面７０ａは、図１０Ａ中で左側から右側に向かう傾斜面である。第２作動面７０ｂは、図１０Ａ中で右側から左側に向かう傾斜面である。空振り面７０ｃは、左右方向にずれがなく、周方向に沿った面である。
【００６６】
カム面７０には、筒状連結部７４の受圧面７５が摺接可能に対向配置されている。受圧面７５は、周方向に沿って形成された第１空振り面７５ａと、周方向に沿って軸方向（左右方向）に螺旋状に変位する台状の凹部を描くように形成された第１受圧面７５ｂ、第２空振り面７５ｃ及び第２受圧面７５ｄと、周方向に沿って形成された第３空振り面７５ｅとを有する。第１受圧面７５ｂは、図１０Ａ中で左側から右側に向かう傾斜面である。第２受圧面７５ｄは、図１０Ａ中で右側から左側に向かう傾斜面である。第１空振り面７５ａ、第２空振り面７５ｃ及び第３空振り面７５ｅは、左右方向にずれがなく、周方向に沿った面である。
【００６７】
カム面７０及び受圧面７５は、０度位置から４０度位置までの間は第１作動面７０ａと第２作動面７０ｂとの間の頂面７０ｄが第１空振り面７５ａに摺接し（図１０Ａ参照）、４０度位置から７５度位置までの間は第１作動面７０ａが第１受圧面７５ｂに摺接する（図１０Ｂ参照）。カム面７０及び受圧面７５は、７５度位置から２１５度位置までの間は頂面７０ｄが第２空振り面７５ｃに摺接し、２１５度位置から２５０度位置までの間は第２作動面７０ｂが第２受圧面７５ｄに摺接する。カム面７０及び受圧面７５は、２５０度位置から３６０度位置までの間は、頂面７０ｄが第３空振り面７５ｅに摺接する。なお、図１０Ａ及び図１０Ｂに示す４０度位置等の角度位置と受圧面７５の形状との関係は一例である。
【００６８】
先ず、ディスプレイ筐体１４を本体筐体１６からヒンジ機構１２を介して開き動作させる場合を説明する。なお、図１０Ｂ中で筒状カム部材６６及び左右スライダ７２の動作を示す実線の矢印記号は、ディスプレイ筐体１４を０度位置から３６０度位置に向けて開き動作させる際の動作を示している（図１１Ｂでも同様である）。この場合は、回動するヒンジ筐体６４と一体的に回転する筒状カム部材６６が、第１軸６２及びこれと回転不能な左右スライダ７２の受圧面７５に対して相対回転する。
【００６９】
その結果、０度位置から４０度位置では、筒状カム部材６６のカム面７０の頂面７０ｄが受圧面７５の第１空振り面７５ａに摺接するため、左右スライダ７２の左右位置は変化しない。４０度位置から７５度位置では、第１作動面７０ａが第１受圧面７５ｂを摺接するため、左右スライダ７２はコイルばね７７の付勢力によって次第に左側に移動する。７５度位置から２１５度位置では、頂面７０ｄが第２空振り面７５ｃに摺接するため、左右スライダ７２の左右位置は変化しない。２１５度位置から２５０度位置では、第２作動面７０ｂが第２受圧面７５ｄに摺接して押圧するため、左右スライダ７２はコイルばね７７の付勢力に抗して右側に移動する。２５０度位置から３６０度位置では、頂面７０ｄが第３空振り面７５ｅに摺接するため、左右スライダ７２の左右位置は変化しない。
【００７０】
次に、ディスプレイ筐体１４を本体筐体１６からヒンジ機構１２を介して閉じ動作させる場合を説明する。なお、図１０Ｂ中で筒状カム部材６６及び左右スライダ７２の動作を示す破線の矢印記号は、ディスプレイ筐体１４を３６０度位置から０度位置に向けて閉じ動作させる際の動作を示している（図１１Ｂでも同様である）。この場合は、開き動作時とは逆方向に回動するヒンジ筐体６４と一体的に回転する筒状カム部材６６が、第１軸６２及びこれと回転不能な左右スライダ７２の受圧面７５に対して相対回転する。
【００７１】
その結果、３６０度位置から２５０度位置では、頂面７０ｄが第３空振り面７５ｅに摺接するため、左右スライダ７２の左右位置は変化しない。２５０度位置から２１５度位置では、第２作動面７０ｂが第２受圧面７５ｄを摺接するため、左右スライダ７２はコイルばね７７の付勢力によって次第に左側に移動する。２１５度位置から７５度位置では、頂面７０ｄが第２空振り面７５ｃに摺接するため、左右スライダ７２の左右位置は変化しない。７５度位置から４０度位置では、第１作動面７０ａが第１受圧面７５ｂに摺接して押圧するため、左右スライダ７２はコイルばね７７の付勢力に抗して右側に移動する。４０度位置から０度位置では、頂面７０ｄが第１空振り面７５ａに摺接するため、左右スライダ７２の左右位置は変化しない。
【００７２】
３．３  リンク機構部の構成の説明
ヒンジ機構１２によるディスプレイ筐体１４の回動動作とキー位置設定機構２６によるキートップ２２の昇降動作とを連動させるリンク機構部５６の構成例を説明する。
【００７３】
図１１Ａ、図１１Ｂは、ヒンジ機構１２Ｌ及びリンク機構部５６を下方から見た斜視図であり、それぞれ０度位置、７５度位置での状態を示している。
【００７４】
リンク機構部５６は、本体筐体１６の内部で動作する。図１１Ａ及び図１１Ｂに示すように、リンク機構部５６は、左右スライダ７２と、第１リンク７８と、第２リンク８０とを有する。本実施形態では、リンク機構部５６は、第１軸６２と本体筐体１６との間を固定する取付板６２ａの表面上で動作する。
【００７５】
左右スライダ７２は、上記した筒状連結部７４を有する。左右スライダ７２は、筒状カム部材６６による押圧力とコイルばね７７による付勢力によって取付板６２ａ上で第１軸６２の軸方向である左右方向にスライドするプレート状部材である。ディスプレイ筐体１４が回動されてヒンジ筐体６４と共に筒状カム部材６６が回転すると、左右スライダ７２は、筒状連結部７４の受圧面７５が筒状カム部材６６のカム面７０と摺接し、左右方向にスライドする。
【００７６】
第１リンク７８は、薄板棒状のプレート状部材である。第１リンク７８は、一端側が連結軸８２を用いて左右スライダ７２と回転可能に連結されている。第１リンク７８は、他端側が連結軸８４を用いて第２リンク８０と回転可能に連結されている。
【００７７】
第２リンク８０は、Ｌ字状のプレート状部材である。第２リンク８０は、Ｌ字の短辺となる部分の端部が連結軸８４を用いて第１リンク７８と回転可能に連結されている。第２リンク８０は、Ｌ字の長辺となる部分の端部が連結軸８６を用いて前後スライダ５４の後端部と回転可能に連結されている。第２リンク８０のＬ字の角部となる部分は、本体筐体１６（本実施形態では取付板６２ａ）に対して回転軸８８を用いて回転可能に支承されている。
【００７８】
リンク機構部５６では、本体筐体１６に対してディスプレイ筐体１４が回動されて筒状カム部材６６が回転し、左右スライダ７２が左右方向にスライドすると、第１リンク７８が連結軸８２を介して左右スライダ７２によって引き摺られる。これにより、第１リンク７８が連結軸８４を回動中心として回動する。第１リンク７８が連結軸８４を中心に回動すると、今度は第２リンク８０が連結軸８４を介して第１リンク７８によって引き摺られる。これにより、第２リンク８０が回転軸８８を回動中心として回動する。その結果、リンク機構部５６は、前後方向に移動する連結軸８６が作用点となって前後スライダ５４を前後方向にスライドさせる。つまり、リンク機構部５６は、ヒンジ機構１２の回転動作と連動して動作して位置変更機構部５５を動作させ、これによりキートップ２２を使用位置又は非使用位置に駆動する。
【００７９】
４．ディスプレイ筐体の回動動作とキートップの連動動作の説明
ディスプレイ筐体１４の回動動作、キー位置設定機構２６によるキートップ２２の昇降動作との連動動作の一例を説明し、さらにこの動作中の電子機器１０の制御方法の一例を説明する。
【００８０】
図１２は、電子機器１０の制御系統の構成例を示すブロック図である。
【００８１】
図１２に示すように、電子機器１０の制御系統は、制御部９０を備える。制御部９０は、キー入力信号受信部９２と、角度位置判定部９４と、キー出力制御部９６とを有する。なお、制御部９０は、例えば、ＣＰＵ（Ｃｅｎｔｒａｌ  Ｐｒｏｃｅｓｓｉｎｇ  Ｕｎｉｔ）等の処理装置にプログラムを実行させること、すなわちソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００８２】
キー入力信号受信部９２は、キーボード装置２０の各キースイッチ２１が入力操作を受けた際にメンブレンシート３２から出力される各キースイッチ２１に対応したキー入力信号を受信し、このキー入力信号をキー出力制御部９６に送信する。
【００８３】
角度位置判定部９４は、センサ６０からのオン信号及びオフ信号を受信することで、このオン信号及びオフ信号に対応するディスプレイ筐体１４の本体筐体１６に対する角度位置を判定し、この判定結果をキー出力制御部９６に送信する。角度位置判定部９４は、センサ６０からの出力と共に、或いはセンサ６０からの出力に代えて加速度センサ９８から出力されるディスプレイ筐体１４の角度信号を受信してもよい。
【００８４】
加速度センサ９８は、例えばディスプレイ筐体１４に搭載され、ディスプレイ筐体１４の回動動作時の加速度を検出し、その検出結果を角度位置判定部９４に送信する。角度位置判定部９４は、加速度センサ９８から検出結果を受けて、この検出結果に対応するディスプレイ筐体１４の本体筐体１６に対する角度位置や、ディスプレイ筐体１４が開き動作中であるか又は閉じ動作中であるか等を判定する。
【００８５】
キー出力制御部９６は、キー入力信号受信部９２及び角度位置判定部９４からの通知に基づき、キーボード装置２０での各キースイッチ２１の入力操作に基づき、動作中のアプリケーションソフトでの入力処理やディスプレイ１８での表示処理を実行する。この際、キー出力制御部９６は、角度位置判定部９４からの判定結果から、各キートップ２２がキー位置設定機構２６によって少なくとも非使用位置に設定されている場合はキー入力信号受信部９２からの各キー入力信号を無効とする。一方、キー出力制御部９６は、角度位置判定部９４からの判定結果から、各キートップ２２がキー位置設定機構２６によって少なくとも使用位置に設定されている場合はキー入力信号受信部９２からの各キー入力信号を有効とし、アプリケーションソフトでの入力処理やディスプレイ１８での表示処理を実行する。
【００８６】
図１３Ａは、ディスプレイ筐体１４を本体筐体１６から開き動作させる際の角度位置の変化状態を模式的に示した説明図である。図１３Ｂは、ディスプレイ筐体１４を本体筐体１６に対して閉じ動作させる際の角度位置の変化状態を模式的に示した説明図である。
【００８７】
当該電子機器１０では、図１３Ａに示すように、０度位置にあるディスプレイ筐体１４を本体筐体１６から開き動作させる際は、先ず、４５度位置から７９度位置までの間の角度範囲θａにおいて、キー位置設定機構２６の位置変更機構部５５が動作する。これにより、０度位置で非使用位置にあったキートップ２２が４５度位置から上昇を開始し、７９度位置で使用位置となる。つまり、この角度範囲θａは、図１０Ａ中の４０度位置から７５度位置の間に設定された第１受圧面７５ｂに、第１作動面７０ａが摺接する範囲を示している。この範囲では、前後スライダ５４が最後部位置から最前部位置まで前進することで、押圧片５２によるキートップ２２の押圧作用が解除され、キートップ２２がラバードーム４１の付勢力によって上昇する。
【００８８】
なお、本実施形態の場合、上記の通り、角度範囲θａは、設計上の角度範囲である４０度位置から７５度位置の範囲から多少位置ずれし、４５度位置から７９度位置の範囲となっている。この角度範囲θａの位置ずれは、例えば位置変更機構部５５やリンク機構部５６を構成する各要素間でのがたつきや寸法公差等の影響によるものである。従って、位置変更機構部５５やリンク機構部５６を構成する各要素がほとんどがたつきなく構成できる場合は、角度範囲θａは設計上の角度範囲である４０度位置から７５度位置の範囲に近接し或いは一致する。以下では、このような設計上の角度範囲と実際の角度範囲θａとの位置ずれは、後述する角度範囲θｂ〜θｄにおいても同様に発生するものとして説明する。
【００８９】
ところで、センサ６０は、０度位置と９０度位置の間にある角度範囲θａ内の所定の設定角度位置（第１設定角度位置）に達するまでの間は、前後スライダ５４の検出片５４ｃによって投光部６０ａと受光部６０ｂとの間が遮断されているため、オフ信号を出力している（図７Ｂ参照）。このため、制御部９０では、角度位置判定部９４がセンサ６０からのオフ信号を受けてディスプレイ筐体１４が完全に又はほとんど閉じられた位置にあると判定している。その結果、キー出力制御部９６は、キー入力信号受信部９２から送信される各キースイッチ２１からのキー入力信号を無効とする。従って、電子機器１０は、各キートップ２２がキー位置設定機構２６によって非使用位置とされている状態で、キートップ２２の押下状態に基づき出力されるキー入力信号によってアプリケーションソフトでの入力処理やディスプレイ１８での表示処理が実行される誤動作や誤入力が防止される。
【００９０】
一方、センサ６０は、角度範囲θａ内に設定された設定角度位置である角度位置θ１（６８度位置）において、前後スライダ５４の検出片５４ｃによる投光部６０ａと受光部６０ｂとの間の遮断が解除されてオン信号を出力する（図７Ａ参照）。このため、制御部９０では、角度位置判定部９４がセンサ６０からのオン信号を受けてディスプレイ筐体１４が所定角度まで開かれた位置にあると判定する。その結果、キー出力制御部９６は、キー入力信号受信部９２から送信される各キースイッチ２１からのキー入力信号を有効とする。従って、電子機器１０は、各キートップ２２がキー位置設定機構２６によって使用位置に復帰する少し前の状態で、各キースイッチ２１からのキー入力信号によってアプリケーションソフトでの入力処理やディスプレイ１８での表示処理を実行可能な動作状態となる。なお、キー入力信号が無効から有効に切り替わる角度位置θ１は、例えばキートップ２２の上下動のストロークで下から３分の１程度の上昇位置に設定される。センサ６０がオン信号を出力する角度位置は、角度範囲θａの終点である７９度位置に設定されてもよく、この場合は各キートップ２２が使用位置となった場合にキー入力信号が有効となる。
【００９１】
続いて、ディスプレイ筐体１４を本体筐体１６からさらに開き動作させた場合において、７９度位置から２２３度位置までの間の角度範囲では、キー位置設定機構２６の位置変更機構部５５は動作しない。この角度範囲は、図１０Ａ中の７５度位置から２１５度位置の間に設定された第２空振り面７５ｃに、頂面７０ｄが摺接することで、前後スライダ５４がスライドしない範囲を示している。従って、この角度範囲では、各キートップ２２の使用位置が維持され、各キートップ２２からのキー入力信号も有効のままで維持される。
【００９２】
ディスプレイ筐体１４を本体筐体１６からさらに開き動作させた場合は、２２３度位置から２５９度位置までの間の角度範囲θｂにおいて、キー位置設定機構２６の位置変更機構部５５が動作する。これにより、７９度位置から２２３度位置までの間の角度範囲で使用位置にあったキートップ２２が２２３度位置から下降を開始し、２５９度位置で非使用位置となる。つまり、この角度範囲θｂは、図１０Ａ中の２１５度位置から２５０度位置の間に設定された第２受圧面７５ｄに、第２作動面７０ｂが摺接する範囲を示している。この範囲では、前後スライダ５４が最前部位置から最後部位置まで後退することで、押圧片５２によってキートップ２２が押し下げられて下降する。
【００９３】
この際、センサ６０は、１８０度位置と３６０度位置の間にある角度範囲θｂ内に設定された設定角度位置（第２設定角度位置）である角度位置θ２（２３２度位置）において、前後スライダ５４の検出片５４ｃによって投光部６０ａと受光部６０ｂとの間が遮断されてオフ信号を出力する（図７Ｂ参照）。このため、制御部９０では、角度位置判定部９４がセンサ６０からのオフ信号を受けてディスプレイ筐体１４がノートモードを越えてタブレットモードに向かう所定角度まで開かれた位置にあると判定する。その結果、キー出力制御部９６は、キー入力信号受信部９２から送信される各キースイッチ２１からのキー入力信号を無効とする。従って、電子機器１０は、各キートップ２２がキー位置設定機構２６によって非使用位置まで下降する際に、この下降動作に基づき出力されるキー入力信号によってアプリケーションソフトでの入力処理やディスプレイ１８での表示処理が実行される誤動作や誤入力を防止できる。なお、キー入力信号が有効から無効に切り替わる角度位置θ２についても、例えばキートップ２２の上下動のストロークで下から３分の１程度の上昇位置に設定される。センサ６０がオフ信号を出力する角度位置は、角度範囲θｂの始点である２２３度位置に設定されてもよく、この場合は各キートップ２２が非使用位置に向かって下降する動作を開始した直後にキー入力信号が無効となる。
【００９４】
一方、図１３Ｂに示すように、３６０度位置にあるディスプレイ筐体１４を本体筐体１６に対して閉じ動作させる際は、先ず、２４８度位置から２１１度位置までの間の角度範囲θｃにおいて、キー位置設定機構２６の位置変更機構部５５が動作する。これにより、３６０度位置で非使用位置にあったキートップ２２が２４８度位置から上昇を開始し、２１１度位置で使用位置となる。つまり、この角度範囲θｃは、図１０Ａ中の２５０度位置から２１５度位置の間に設定された第１受圧面７５ｄに、第２作動面７０ｂが摺接する範囲を示している。この範囲では、前後スライダ５４が最後部位置から最前部位置まで前進することで、押圧片５２によるキートップ２２の押圧作用が解除され、キートップ２２がラバードーム４１の付勢力によって上昇する。
【００９５】
この際、センサ６０は、３６０度位置と１８０度位置の間にある角度範囲θｃ内に設定された設定角度位置（第２設定角度位置）である角度位置θ３（２２２度位置）において、前後スライダ５４の検出片５４ｃによる投光部６０ａと受光部６０ｂとの間の遮断が解除されてオン信号を出力する（図７Ｂ参照）。このため、キー出力制御部９６は、キー入力信号受信部９２から送信される各キースイッチ２１からのキー入力信号を有効とする。従って、電子機器１０は、各キートップ２２がキー位置設定機構２６によって使用位置に復帰する少し前の状態で、各キースイッチ２１からのキー入力信号によってアプリケーションソフトでの入力処理やディスプレイ１８での表示処理を実行可能な動作状態となる。センサ６０がオン信号を出力する角度位置は、角度範囲θｃの終点である２１１度位置に設定されてもよく、この場合は各キートップ２２が使用位置となった場合にキー入力信号が有効となる。
【００９６】
なお、本実施形態では、図１３Ａに示す開き動作時と図１３Ｂに示す閉じ動作時とで、キー位置設定機構２６の動作範囲である角度範囲θｂ，θｃが位置ずれしている。さらに、これら角度範囲θｂ，θｃ内でのキー入力信号の有効又は無効を切り替える設定角度位置である角度位置θ２，θ３も位置ずれしている。しかしながら、これらの位置ずれは、例えば位置変更機構部５５やリンク機構部５６を構成する各要素間でのがたつきや寸法公差等の影響によるものであり、角度範囲θｂ，θｃ及び角度位置θ２，θ３はそれぞれ同一に設定されてもよい。
【００９７】
続いて、ディスプレイ筐体１４を本体筐体１６に対してさらに閉じ動作させた場合において、２１１度位置から６７度位置までの間の角度範囲では、キー位置設定機構２６の位置変更機構部５５は動作しない。この角度範囲は、図１０Ａ中の２１５度位置から７５度位置の間に設定された第２空振り面７５ｃに、頂面７０ｄが摺接することで、前後スライダ５４がスライドしない範囲を示している。従って、この角度範囲では、各キートップ２２の使用位置が維持され、各キートップ２２からのキー入力信号も有効のままで維持される。
【００９８】
ディスプレイ筐体１４を本体筐体１６に対してさらに閉じ動作させた場合は、６７度位置から３０度位置までの間の角度範囲θｄにおいて、キー位置設定機構２６の位置変更機構部５５が動作する。これにより、２１１度位置から６７度位置までの間の角度範囲で使用位置にあったキートップ２２が６７度位置から下降を開始し、３０度位置で非使用位置となる。つまり、この角度範囲θｄは、図１０Ａ中の７５度位置から４０度位置の間に設定された第１受圧面７５ｂに、第１作動面７０ａが摺接する範囲を示している。この範囲では、前後スライダ５４が最前部位置から最後部位置まで後退することで、押圧片５２によってキートップ２２が押し下げられて下降する。
【００９９】
この際、センサ６０は、０度位置と９０度位置の間にある角度範囲θｄ内に設定された設定角度位置（第１設定角度位置）である角度位置θ４（５８度位置）において、前後スライダ５４の検出片５４ｃによって投光部６０ａと受光部６０ｂとの間が遮断されてオフ信号を出力する（図７Ｂ参照）。このため、キー出力制御部９６は、キー入力信号受信部９２から送信される各キースイッチ２１からのキー入力信号を無効とする。従って、電子機器１０は、各キートップ２２がキー位置設定機構２６によって非使用位置まで下降する際に、この下降動作に基づき出力されるキー入力信号によってアプリケーションソフトでの入力処理やディスプレイ１８での表示処理が実行される誤動作や誤入力を防止できる。センサ６０がオフ信号を出力する角度位置は、角度範囲θｄの始点である６７度位置に設定されてもよく、この場合は各キートップ２２が非使用位置に向かって下降する動作を開始した直後にキー入力信号が無効となる。
【０１００】
なお、本実施形態では、図１３Ａに示す開き動作時と図１３Ｂに示す閉じ動作時とで、キー位置設定機構２６の動作範囲である角度範囲θａ，θｄが位置ずれしている。さらに、これら角度範囲θａ，θｄ内でのキー入力信号の有効又は無効を切り替える設定角度位置である角度位置θ１，θ４も位置ずれしている。しかしながら、これらの位置ずれは、例えば位置変更機構部５５やリンク機構部５６を構成する各要素間でのがたつきや寸法公差等の影響によるものであり、角度範囲θａ，θｄ及び角度位置θ１，θ４はそれぞれ同一に設定されてもよい。
【０１０１】
但し、当該電子機器１０は、ディスプレイ筐体１４の０度位置から開き動作する際にキー入力信号を無効から有効に切り替える角度位置θ１と、０度位置まで閉じ動作する際にキー入力信号を有効から無効に切り替える角度位置θ４とで、角度位置θ１よりも角度位置θ４が小さい角度となるように意図的に構成してもよい（図１３Ａ及び図１３Ｂ参照）。すなわち、ディスプレイ筐体１４の閉じ動作時は、ディスプレイ筐体１４を例えば９０度位置から少し閉じた角度位置としながらもキーボード装置２０を使用する使用方法が想定される。これに対し、ディスプレイ筐体１４の開き動作時は、例えば９０度位置程度まで一挙にディスプレイ筐体１４を開くことが想定されるため、ディスプレイ筐体１４を例えば９０度位置から少し閉じた角度位置としながらもキーボード装置２０を使用する使用方法は、通常、想定されない。
【０１０２】
そこで、当該電子機器１０では、閉じ動作時にキー入力信号を有効から無効に切り替える角度位置θ４を、開き動作時にキー入力信号を無効から有効に切り替える角度位置θ１よりも小さい角度位置に設定してもよい。そうすると、ディスプレイ筐体１４を例えば９０度位置から少し閉じた角度位置、例えば角度位置θ１としてキーボード装置２０を使用する使用方法を実施する際に、キー入力信号が無効に設定される不具合の発生を回避できる。
【０１０３】
なお、閉じ動作時と開き動作時とでの角度位置θ１，θ４を位置ずれさせる構成は、例えば上記したような位置変更機構部５５やリンク機構部５６を構成する各要素間でのがたつき等を意図的に作り出して構築してもよい。また、例えば１つのセンサ６０に代えて、開き動作時に前後スライダ５４を検出するセンサと、閉じ動作時に前後スライダ５４を検出するセンサとを別途設け、加速度センサ９８からの出力に基づき、ディスプレイ筐体１４の閉じ動作と開き動作を判定し、開き動作時と閉じ動作時とにそれぞれ対応したセンサからの出力に基づく制御を行うようにしてもよい。
【０１０４】
５．作用効果の説明
以上のように、本実施形態に係る電子機器１０では、ヒンジ機構１２によるディスプレイ筐体１４と本体筐体１６との回動動作に連動して、各キートップ２２を使用位置（第１位置）から非使用位置（第２位置）に移動可能なキー位置設定機構２６と、各キートップ２２が少なくとも使用位置にある状態ではキートップ２２からのキー入力信号を有効とし、キー位置設定機構２６によって各キートップ２２が非使用位置に移動した状態では各キートップ２２からのキー入力信号を無効とする制御部９０とを備える。
【０１０５】
従って、当該電子機器１０では、キー位置設定機構２６によってキートップ２２が非使用位置に押し下げられた場合のキー入力信号により、アプリケーションソフトでの入力処理やディスプレイ１８での表示処理が実行される誤動作や誤入力の発生を防止できる。
【０１０６】
当該電子機器１０では、キー位置設定機構２６は、リンク機構部５６及び位置変更機構部５５と、キー位置設定機構２６が各キートップ２２を使用位置から非使用位置へと移動する際の所定の状態を検出し、検査結果を制御部９０に対して出力するセンサ６０とを有する。そして、制御部９０は、センサ９０からの検出結果に基づいてキー入力信号の有効と無効とを切り替える。なお、上記では、前後スライダ５４の所定のスライド位置を検出するようにセンサ６０を設けたが、センサ６０は、位置変更機構部５５の他の要素（回転軸部材５０又は押圧片５２）の状態を検出し、或いはリンク機構部５６の各要素（左右スライダ７２、第１リンク７８又は第２リンク８０）の状態を検出してもよい。これにより、制御部９０は、キートップ２２を実際に使用位置と非使用位置に移動させるリンク機構部５６や位置変更機構部５５の所定要素の状態に基づき、キー入力信号の有効又は無効を切り替える。このため、当該電子機器１０では、キー入力信号の有効又は無効の切替制御をキートップ２２を実際の昇降動作させるリンク機構部５６や位置変更機構部５５の動作状態に基づき行うことができる。これにより、当該電子機器１０では、キートップ２２の実際の昇降状態に対応した高い精度で迅速にキー入力信号の有効又は無効を切り替えることができ、誤動作や誤入力の発生を一層確実に防止できる。
【０１０７】
本実施形態では、センサ６０は、前後スライダ５４のスライド位置を検出するように設けている。これにより、キー位置設定機構２６の各要素のうちでキートップ２２に極めて近い位置でセンサ６０による検出を行うことができ、誤動作や誤入力の発生を一層確実に防止できる。しかも前後スライダ５４は、単に前後方向にスライドする部材であるため、センサ６０による検出精度も確保し易いという利点がある。
【０１０８】
なお、制御部９０は、センサ６０からの出力と共に、又はセンサ６０からの出力と共に加速度センサ９８からの出力を利用してキー出力制御部９６によるキー入力信号の有効又は無効の切替制御を行ってもよい。すなわち加速度センサ９８は、ディスプレイ筐体１４の回動状態を検知可能であるため、その検出結果からディスプレイ筐体１４の角度位置に対応したキー位置設定機構２６の動作状態も予測可能であり、この予測に基づきキー入力信号の有効又は無効の切替制御を行ってもよい。
【０１０９】
当該電子機器１０では、センサ６０は、投光部６０ａと受光部６０ｂとを有する非接触式の光センサである。すなわち、当該電子機器１０は、実際の使用時にはディスプレイ筐体１４の回動動作は相当な繰り返し数で実行される。そこで、センサ６０が非接触式の光センサであると、前後スライダ５４との繰り返しの摺動による破損等を生じることがなく、耐久性や寿命が増加する。勿論、破損等を生じ難い構成であれば、センサ６０は、接触式構造でもよい。
【０１１０】
なお、本発明は、上記した開示内容に限定されるものではなく、本発明の主旨を逸脱しない範囲で自由に変更できることは勿論である。
【０１１１】
例えば上記実施形態では、ディスプレイ筐体１４を０度位置から３６０度位置まで回動可能なコンバーチブル型ＰＣの電子機器１０を例示したが、電子機器１０は、ディスプレイ筐体１４を０度位置から１８０度位置程度までしか回動できない一般的なノート型ＰＣで構成されてもよい。
【符号の説明】
【０１１２】
１０  電子機器
１２Ｌ，１２Ｒ  ヒンジ機構
１４  ディスプレイ筐体
１４ａ，１６ａ  表面
１４ｂ，１６ｂ  裏面
１６  本体筐体
１８  ディスプレイ
２０  キーボード装置
２１  キースイッチ
２２  キートップ
２６  キー位置設定機構
４１  ラバードーム
５４  前後スライダ
５５  位置変更機構部
５６  リンク機構部
６０  センサ
６０ａ  投光部
６０ｂ  受光部
９０  制御部
９８  加速度センサ
【図１】
2019032756.tif 000003
【図２】
2019032756.tif 000004
【図３】
2019032756.tif 000005
【図４】
2019032756.tif 000006
【図５Ａ】
2019032756.tif 000007
【図５Ｂ】
2019032756.tif 000008
【図６】
2019032756.tif 000009
【図７Ａ】
2019032756.tif 000010
【図７Ｂ】
2019032756.tif 000011
【図８】
2019032756.tif 000012
【図９】
2019032756.tif 000013
【図１０Ａ】
2019032756.tif 000014
【図１０Ｂ】
2019032756.tif 000015
【図１１Ａ】
2019032756.tif 000016
【図１１Ｂ】
2019032756.tif 000017
【図１２】
2019032756.tif 000018
【図１３Ａ】
2019032756.tif 000019
【図１３Ｂ】
2019032756.tif 000020